(57)【特許請求の範囲】
【請求項１】
複数の発電機を備える単独運転系統において各種機器を制御する単独運転発電所の制御システムであって、
各配電線の負荷電力を計測して記憶する負荷電力計測手段と、
前記各配電線に配設された配電線用遮断器を制御する配電線用遮断器制御手段と、
前記各発電機を制御する発電機制御手段と、を備え、
いずれかの前記発電機が故障によって発電停止した場合に、前記配電線用遮断器制御手段は、前記負荷電力の総和が、前記故障した発電機を除く発電中の発電機の容量の総和以下になるように、かつ、負荷電力が大きい配電線の順に前記配電線用遮断器を遮断し、前記発電機制御手段は、待機中の発電機を起動して発電を開始させ、
その後、前記配電線用遮断器制御手段は、前記配電線用遮断器を遮断する直前に前記負荷電力計測手段で計測された負荷電力に基づいて、前記遮断した配電線用遮断器を投入した際の前記負荷電力の総和が、発電中の発電機の容量の総和以下になる範囲で、かつ、負荷電力が大きい配電線の順に判断して条件に合った前記遮断した配電線用遮断器から投入する、
ことを特徴とする単独運転発電所の制御システム。
【請求項２】
複数の発電機を備える単独運転系統において各種機器を制御する単独運転発電所の制御プログラムであって、コンピュータを、
計測された各配電線の負荷電力を記憶する記憶手段と、
前記各配電線に配設された配電線用遮断器を制御する配電線用遮断器制御手段と、
前記各発電機を制御する発電機制御手段、として機能させ、
いずれかの前記発電機が故障によって発電停止した場合に、前記配電線用遮断器制御手段は、前記負荷電力の総和が、前記故障した発電機を除く発電中の発電機の容量の総和以下になるように、かつ、負荷電力が大きい配電線の順に前記配電線用遮断器を遮断し、前記発電機制御手段は、待機中の発電機を起動して発電を開始させ、
その後、前記配電線用遮断器制御手段は、前記配電線用遮断器を遮断する直前に前記記憶手段に記憶された負荷電力に基づいて、前記遮断した配電線用遮断器を投入した際の前記負荷電力の総和が、発電中の発電機の容量の総和以下になる範囲で、かつ、負荷電力が大きい配電線の順に判断して条件に合った前記遮断した配電線用遮断器から投入する、
ことを特徴とする単独運転発電所の制御プログラム。
【発明の詳細な説明】
【技術分野】
【０００１】
この発明は、単独運転発電所において発電機や遮断器を制御する、単独運転発電所の制御システムおよび制御プログラムに関する。
【背景技術】
【０００２】
例えば、離島などでの内燃力発電装置による単独運転系統での電力制御システムにおいては、遠隔監視制御の担当箇所当直員が常時監視して手動制御を行っており、その中で次のよう制御などを行っている。第１に、負荷状況を見ながら当直員が発電機の起動または停止を判断して、発電機の運転台数の制御を行っている。第２に、発電機が軽故障（温度上昇等）した場合には、当直員が故障状況を確認して早急に待機発電機への運転切替を行っている。第３に、発電機が重故障（発電停止）した場合には、この発電機の発電機用遮断器（５２Ｇ）がトリップして、残りの発電機が過負荷状態になって遮断し、全停電に移行する。第４に、全停電になった場合、全停電からの復旧操作を当直員が行わなければないないことなる。
【０００３】
しかしながら、近年、停電に対する減少対策が強く要求されるようになっており、当直員の負担も大きくなっている。このため、１台の発電機の事故停止に起因する全停時に、健全な発電機を自動的かつ速やかに始動できるようにする、という常用発電機の自動運転システムが知られている（例えば、特許文献１参照。）。このシステムは、全停直前時の全負荷電力量を記憶する手段を設け、全停時に全負荷電力量に見合った発電機台数を自動的に立ち上げるものである。
【先行技術文献】
【特許文献】
【０００４】
【特許文献１】特開平０９−１０３０９８号公報
【発明の概要】
【発明が解決しようとする課題】
【０００５】
ところで、複数の発電機を並用運転中に、１台の発電機の重故障によって発電機用遮断器が遮断した場合、需要と供給のバランスが崩れて全停電となる可能性が高い。そして、全停電になった場合には、復旧操作は困難を極め、当直員への負担が大きいばかりでなく、停電の継続による社会的影響が大きい。これに対して、特許文献１のシステムでは、全停電になった後に、健全な発電機を自動的かつ速やかに始動できるというものの、全停電自体を回避・抑制することはできず、当直員への負担や社会的影響を削減することはできない。
【０００６】
そこでこの発明は、全停電を抑制して、さらに、適正な電力供給を可能にする、単独運転発電所の制御システムおよび制御プログラムを提供することを目的とする。
【課題を解決するための手段】
【０００７】
上記課題を解決するために、請求項１の発明は、複数の発電機を備える単独運転系統において各種機器を制御する単独運転発電所の制御システムであって、各配電線の負荷電力を計測して記憶する負荷電力計測手段と、前記各配電線に配設された配電線用遮断器を制御する配電線用遮断器制御手段と、前記各発電機を制御する発電機制御手段と、を備え、いずれかの前記発電機が故障によって発電停止した場合に、前記配電線用遮断器制御手段は、前記負荷電力の総和が、前記故障した発電機を除く発電中の発電機の容量の総和以下になるように、かつ、負荷電力が大きい配電線の順に前記配電線用遮断器を遮断し、前記発電機制御手段は、待機中の発電機を起動して発電を開始させ、その後、前記配電線用遮断器制御手段は、前記配電線用遮断器を遮断する直前に前記負荷電力計測手段で計測された負荷電力に基づいて、前記遮断した配電線用遮断器を投入した際の前記負荷電力の総和が、発電中の発電機の容量の総和以下になる範囲で、かつ、負荷電力が大きい配電線の順に判断して条件に合った前記遮断した配電線用遮断器から投入する、ことを特徴とする。
【０００８】
この発明によれば、いずれかの発電機が故障によって発電停止すると、負荷電力の総和が、発電中の発電機の容量の総和以下になるように、配電線用遮断器が遮断される。つまり、発電中の発電機の総容量に見合うように負荷が切り分けられる（制限される。）。さらに、待機中（未発電中）の発電機による発電が開始され、配電線用遮断器を遮断する直前の各配電線の負荷電力に基づいて、遮断した配電線用遮断器を投入した場合の負荷電力の総和が、発電中の発電機の容量の総和以下になる範囲で、遮断した配電線用遮断器が投入される。つまり、発電中の発電機の総容量に見合うだけ、遮断した配電線用遮断器が投入されて電力供給（負荷）が回復される。
【００１０】
請求項２の発明は、複数の発電機を備える単独運転系統において各種機器を制御する単独運転発電所の制御プログラムであって、コンピュータを、計測された各配電線の負荷電力を記憶する記憶手段と、前記各配電線に配設された配電線用遮断器を制御する配電線用遮断器制御手段と、前記各発電機を制御する発電機制御手段、として機能させ、いずれかの前記発電機が故障によって発電停止した場合に、前記配電線用遮断器制御手段は、前記負荷電力の総和が、前記故障した発電機を除く発電中の発電機の容量の総和以下になるように、かつ、負荷電力が大きい配電線の順に前記配電線用遮断器を遮断し、前記発電機制御手段は、待機中の発電機を起動して発電を開始させ、その後、前記配電線用遮断器制御手段は、前記配電線用遮断器を遮断する直前に前記記憶手段に記憶された負荷電力に基づいて、前記遮断した配電線用遮断器を投入した際の前記負荷電力の総和が、発電中の発電機の容量の総和以下になる範囲で、かつ、負荷電力が大きい配電線の順に判断して条件に合った前記遮断した配電線用遮断器から投入する、ことを特徴とする。
【発明の効果】
【００１２】
請求項１および請求項２の発明によれば、いずれかの発電機が発電停止すると、発電中の発電機の総容量に見合うように負荷が切り分けられるため、需要と供給のバランスが適正に維持される。このため、発電中の残りの発電機が過負荷状態になることによる全停電を、防止・抑制することが可能となる。また、待機中の発電機による発電が開始され、発電中の発電機の総容量に見合うだけ、遮断した配電線用遮断器が投入されて電力供給が回復されるため、適正な電力供給を維持することが可能となる。
【００１３】
このような結果、全停電への波及を回避することができ、全停電からの復旧時間を短縮できるとともに、当直員の復旧操作を軽減することができ、さらには、誤判断による誤操作を防止・抑制することができる。同様に、発電機の自動起動や配電線への自動送電を行えることで、現状把握時間および停電復旧時間を短縮できるとともに、当直員の復旧操作を軽減することができ、さらには、誤判断による誤操作を防止・抑制することができる。このようにして、電力供給の安定性、信頼性を向上させることができるものである。
【００１４】
しかも、負荷電力が大きい配電線の順に配電線用遮断器が遮断されるため、全停電をより防止・抑制して、より多くの需要家・負荷に電力供給を継続することが可能となる。
【図面の簡単な説明】
【００１５】
【図１】この発明の実施の形態に係る単独運転発電所の制御システムが適用された、電力系統を示す図である。
【図２】図１の制御システムによる制御フローを示す第１のフローチャートである。
【図３】図２の続きを示す第２のフローチャートである。
【図４】図２、図３の続きを示す第３のフローチャートである。
【図５】図３、図４の続きを示す第４のフローチャートである。
【発明を実施するための形態】
【００１６】
以下、この発明を図示の実施の形態に基づいて説明する。
【００１７】
図１は、この発明の実施の形態に係る単独運転発電所の制御システム１が適用された、電力系統を示す図である。この制御システム１は、複数の発電機Ｇ１〜Ｇｎを備える単独運転系統において各種機器を制御する制御システムであり、主として、負荷電力計測器（負荷電力計測手段）２と、配電線用遮断器制御装置（配電線用遮断器制御手段）３と、発電機制御装置（発電機制御手段）４と、発電機用遮断器制御装置５と、を備える。
【００１８】
ここで、各発電機Ｇ１〜Ｇｎには、発電機用遮断器５２Ｇ１〜５２Ｇｎが配設され、各配電線Ｌ１〜Ｌｎには、配電線用遮断器５２Ｆ１〜５２Ｆｎが配設され、また、各発電機Ｇ１〜Ｇｎと各配電線Ｌ１〜Ｌｎとは、母線Ｌ０を介して接続されている。なお、「ｎ」は、任意の数を示すものである。
【００１９】
負荷電力計測器２は、配電線Ｌ１〜Ｌｎの負荷電力を計測して記憶する機器であり、各配電線Ｌ１〜Ｌｎに配設されている。この実施の形態では、定期的（５秒ごと）に供給負荷電力を計測、記憶するようになっている。
【００２０】
配電線用遮断器制御装置３は、各配電線Ｌ１〜Ｌｎに配設された配電線用遮断器５２Ｆ１〜５２Ｆｎを制御する装置、発電機制御装置４は、各発電機Ｇ１〜Ｇｎを制御する装置、発電機用遮断器制御装置５は、各発電機Ｇ１〜Ｇｎの発電機用遮断器５２Ｇ１〜５２Ｇｎを制御する装置であり、
いずれかの発電機Ｇ１〜Ｇｎが重故障によって発電停止した場合（発電機用遮断器５２Ｇ１〜５２Ｇｎがトリップした場合）に、配電線用遮断器制御装置３は、負荷電力の総和が、故障した発電機Ｇ１〜Ｇｎを除く発電中の発電機Ｇ１〜Ｇｎの容量の総和以下になるように、配電線用遮断器５２Ｆ１〜５２Ｆｎを遮断し、発電機制御装置４は、待機中（予備）の発電機Ｇ１〜Ｇｎを起動して発電を開始させ、
その後、配電線用遮断器制御装置３は、配電線用遮断器５２Ｆ１〜５２Ｆｎを遮断する直前に負荷電力計測器２で計測、記憶された負荷電力に基づいて、遮断した配電線用遮断器５２Ｆ１〜５２Ｆｎを投入した際の負荷電力の総和が、発電中の発電機Ｇ１〜Ｇｎの容量の総和以下になる範囲で、遮断した配電線用遮断器５２Ｆ１〜５２Ｆｎを投入する、
ものである。
【００２１】
すなわち、いずれかの発電機Ｇ１〜Ｇｎが故障によって発電停止した場合、まず、負荷切り分け処理として、配電線用遮断器制御装置３によって、配電線Ｌ１〜Ｌｎへの負荷電力の総和（合計）が、故障した発電機Ｇ１〜Ｇｎを除く発電中（待機中を除く）の発電機Ｇ１〜Ｇｎの容量の総和以下になるように、配電線用遮断器５２Ｆ１〜５２Ｆｎを遮断する。この際、この実施の形態では、負荷電力が大きい配電線Ｌ１〜Ｌｎの順に配電線用遮断器５２Ｆ１〜５２Ｆｎを遮断する。また、配電線Ｌ１〜Ｌｎへの負荷電力の総和は、直前・直近に各負荷電力計測器２で計測、記憶された負荷電力に基づいて算出する。
【００２２】
と同時に、発電機起動処理として、発電機制御装置４によって、待機中の健全な発電機Ｇ１〜Ｇｎを起動して発電を開始させる。つまり、この実施の形態では、故障した発電機Ｇ１〜Ｇｎ以外のすべての発電機Ｇ１〜Ｇｎによる発電を開始する。ここで、発電機Ｇ１〜Ｇｎが発電停止したことは、別のシステム・装置によって検出され、その検出結果が本制御システム１に送信・伝送されるようになっている。
【００２３】
次に、遮断器投入処理として、配電線用遮断器制御装置３によって、負荷切り分け処理で配電線用遮断器５２Ｆ１〜５２Ｆｎを遮断する直前に各負荷電力計測器２で計測、記憶された負荷電力に基づいて、遮断した配電線用遮断器５２Ｆ１〜５２Ｆｎを投入しても負荷電力の総和が、発電中の発電機Ｇ１〜Ｇｎの容量の総和以下になる範囲内で、遮断した配電線用遮断器５２Ｆ１〜５２Ｆｎを投入する。つまり、発電機起動処理によって発電中の発電機Ｇ１〜Ｇｎの容量の総和が増加したため、負荷切り分け処理前の負荷電力に基づいて、遮断器再投入後の負荷電力の総和が、発電中の発電機Ｇ１〜Ｇｎの容量（発電量）の総和以下になる範囲内で、遮断した配電線用遮断器５２Ｆ１〜５２Ｆｎを再投入するものである。
【００２４】
具体的には、図２に示すように、２台以上の発電機Ｇ１〜Ｇｎが発電中・運転中の通常時において、各負荷電力計測器２によって各配電線Ｌ１〜Ｌｎの負荷電力を５秒ごとに計測、記憶し（ステップＳ１）、いずれかの発電機Ｇ１〜Ｇｎが重故障して発電停止すると（ステップＳ２）、次のような負荷切り分け処理等（重故障処理）を実行する（ステップＳ３）。この際、負荷切り分けの機能動作等（動作状況）をディスプレイに逐次表示する（ステップＳ４）とともに、各配電線用遮断器５２Ｆ１〜５２Ｆｎの再閉路リレーをロックする（ステップＳ５）。ここで、配電線Ｌ１、Ｌ２〜Ｌｎの順に負荷電力が大きく、また、２台以上の発電機Ｇ１〜Ｇｎが発電中で、１台以上の健全な発電機Ｇ１〜Ｇｎが待機中であるものとして、以下に説明する。
【００２５】
負荷切り分け処理においては、図３に示すように、まず、故障した発電機Ｇ１〜Ｇｎを除く発電中の発電機Ｇ１〜Ｇｎの定格容量（定格発電量）の総和が、直前（５秒前）の配電線Ｌ１〜Ｌｎの負荷電力の総和よりも小さいか否かを判断する（ステップＳ６）。その結果、小さくない場合、つまり、発電中の発電機Ｇ１〜Ｇｎによってすべての配電線Ｌ１〜Ｌｎへの電力供給を賄える場合には、後述するステップＳ３０に進む。一方、ステップＳ６で小さいと判断した場合には、配電線用遮断器制御装置３によって第１の配電線用遮断器５２Ｆ１に遮断指令を送信し、これを受けて第１の配電線用遮断器５２Ｆ１が遮断する（ステップＳ７）。
【００２６】
続いて、故障した発電機Ｇ１〜Ｇｎを除く発電中の発電機Ｇ１〜Ｇｎの定格容量の総和が、第１の配電線Ｌ１を除く配電線Ｌ２〜Ｌｎの負荷電力の総和よりも小さいか否か、換言すると、ステップＳ６における負荷電力の総和から直前（５秒前）の第１の配電線Ｌ１の負荷電力を差し引いた負荷電力よりも小さいか否か、を判断する（ステップＳ８）。その結果、小さくない場合、つまり、発電中の発電機Ｇ１〜Ｇｎによって配電線Ｌ２〜Ｌｎへの電力供給を賄える場合には、負荷切り分け処理を終了する。一方、ステップＳ８で小さいと判断した場合には、配電線用遮断器制御装置３によって第２の配電線用遮断器５２Ｆ２に遮断指令を送信して遮断する（ステップＳ９）。
【００２７】
このようにして、発電中の発電機Ｇ１〜Ｇｎによって配電線Ｌ１〜Ｌｎへの電力供給を賄えるまで、換言すると、配電線Ｌ１〜Ｌｎへの負荷電力の総和が、発電中の発電機Ｇ１〜Ｇｎの総定格容量以下になるまで、負荷電力が大きい配電線Ｌ１〜Ｌｎの順に配電線用遮断器５２Ｆ１〜５２Ｆｎを順次に遮断する。
【００２８】
従って、発電中の発電機Ｇ１〜Ｇｎの定格容量の総和が、配電線Ｌ１〜Ｌ（ｎ−１）を除く配電線Ｌｎの負荷電力の総和よりも小さいか否かを判断し（ステップＳ１０）、小さいと判断した場合には、配電線用遮断器制御装置３によって第ｎの配電線用遮断器５２Ｆｎに遮断指令を送信して遮断する（ステップＳ１１）ものである。
【００２９】
このような負荷切り分け処理と並行して、発電機起動処理を実行する。すなわち、図４に示すように、発電機制御装置４によって、待機中の健全な発電機（既に発電中の発電機や重故障の発電機を除く）Ｇ１〜Ｇｎを起動して発電を開始させる（ステップＳ１２）とともに、発電機用遮断器制御装置５によって、これらの発電機Ｇ１〜Ｇｎの発電機用遮断器５２Ｇ１〜５２Ｇｎを投入する（ステップＳ１３）。続いて、所定時間のタイマーをセットし（ステップＳ１４）、タイマー満了後に、次のような遮断器投入処理を実行する。ここで、タイマーの時間は、ステップＳ１２、Ｓ１３での発電機Ｇ１〜Ｇｎが発電開始して電力供給できる時間（例えば、２０秒）に設定されており、任意に変更可能にしてもよい。
【００３０】
遮断器投入処理においては、まず、負荷切り分け処理によって第１の配電線用遮断器５２Ｆ１が遮断していない場合（ステップＳ１５で「Ｎｏ」の場合）には、ステップＳ３０に進む。一方、第１の配電線用遮断器５２Ｆ１が遮断している場合（ステップＳ１５で「Ｙｅｓ」の場合）には、発電中の発電機Ｇ１〜Ｇｎの定格容量の総和が、遮断される直前（５秒前）の第１の配電線Ｌ１の負荷電力と現在供給中の（遮断していない）配電線Ｌ１〜Ｌｎの負荷電力とを加算した総負荷電力以上であるか、つまり、待機中の発電機Ｇ１〜Ｇｎが起動したことで第１の配電線Ｌ１への電力供給を賄えるか否か、を判断する（ステップＳ１６）。ここで、確実に電力供給できることを判断するために、総定格容量が総負荷電力の１．１倍よりも大きいか否かを判断する。
【００３１】
その結果、総定格容量が総負荷電力の１．１倍よりも大きくない場合には、ステップＳ２０に進む。一方、１．１倍よりも大きく、かつ、ステップＳ７で第１の配電線用遮断器５２Ｆ１が遮断されている場合（アンド回路Ｒ１通過の場合）には、配電線用遮断器制御装置３によって、第１の配電線用遮断器５２Ｆ１の再閉路リレーのロックを解除して（ステップＳ１７）、第１の配電線用遮断器５２Ｆ１を投入する（ステップＳ１８）。続いて、所定時間のタイマーをセットし（ステップＳ１９）、タイマー満了後に、ステップＳ２０に進む。ここで、タイマーの時間は、第１の配電線用遮断器５２Ｆ１の投入後に電力供給が安定する時間（例えば、６５秒）に設定されており、任意に変更可能にしてもよい。ここで、図４、図５における符号Ｒ２は、オア回路を示す。
【００３２】
次に、負荷切り分け処理によって第２の配電線用遮断器５２Ｆ２が遮断していない場合（ステップＳ２０で「Ｎｏ」の場合）には、ステップＳ３０に進む。一方、第２の配電線用遮断器５２Ｆ２が遮断している場合（ステップＳ２０で「Ｙｅｓ」の場合）には、図５に示すように、発電中の発電機Ｇ１〜Ｇｎの総定格容量が、遮断される直前（５秒前）の第２の配電線Ｌ２の負荷電力と現在供給中の（遮断していない）配電線Ｌ１〜Ｌｎの負荷電力とを加算した総負荷電力以上であるか、つまり、待機中の発電機Ｇ１〜Ｇｎが起動したことで第２の配電線Ｌ２への電力供給を賄えるか否か、を判断する（ステップＳ２１）。ここで、ステップＳ１８で第１の配電線用遮断器５２Ｆ１が投入されている場合には、第１の配電線Ｌ１も現在供給中の配電線Ｌ１〜Ｌｎに含まれる。また、ステップＳ１６と同様に、総定格容量が総負荷電力の１．１倍よりも大きいか否かを判断する。
【００３３】
その結果、総定格容量が総負荷電力の１．１倍よりも大きくない場合には、ステップＳ２５に進む。一方、１．１倍よりも大きく、かつ、ステップＳ９で第２の配電線用遮断器５２Ｆ２が遮断されている場合（アンド回路Ｒ１通過の場合）には、配電線用遮断器制御装置３によって、第２の配電線用遮断器５２Ｆ２の再閉路リレーのロックを解除して（ステップＳ２２）、第２の配電線用遮断器５２Ｆ２を投入する（ステップＳ２３）。続いて、所定時間のタイマーをセットし（ステップＳ２４）、タイマー満了後に、ステップＳ２５に進む。
【００３４】
このようにして、配電線Ｌ１〜Ｌｎの総負荷電力が発電中の発電機Ｇ１〜Ｇｎの総定格容量以下の範囲内で、遮断した配電線用遮断器５２Ｆ１〜５２Ｆｎを順次に再投入する。従って、第ｎの配電線用遮断器５２Ｆｎが遮断している場合（ステップＳ２５で「Ｙｅｓ」の場合）、発電中の発電機Ｇ１〜Ｇｎの総定格容量が、遮断される直前（５秒前）の第ｎの配電線Ｌｎの負荷電力と現在供給中の（遮断していない）配電線Ｌ１〜Ｌｎの負荷電力とを加算した総負荷電力以上であるか、つまり、待機中の発電機Ｇ１〜Ｇｎが起動したことで第ｎの配電線Ｌｎへの電力供給を賄えるか否か、を判断する（ステップＳ２６）。
【００３５】
その結果、総定格容量が総負荷電力の１．１倍よりも大きくない場合には、ステップＳ３０に進む。一方、１．１倍よりも大きく、かつ、ステップＳ１１で第ｎの配電線用遮断器５２Ｆｎが遮断されている場合（アンド回路Ｒ１通過の場合）には、配電線用遮断器制御装置３によって、第ｎの配電線用遮断器５２Ｆｎの再閉路リレーのロックを解除して（ステップＳ２７）、第ｎの配電線用遮断器５２Ｆｎを投入する（ステップＳ２８）。続いて、所定時間のタイマーをセットし（ステップＳ２９）、タイマー満了後に、ステップＳ３０に進む。
【００３６】
このように、配電線Ｌ１〜Ｌｎの総負荷電力が発電中の発電機Ｇ１〜Ｇｎの総定格容量以下の範囲内で、投入可能な配電線用遮断器５２Ｆ１〜５２Ｆｎを投入するため、一部の配電線用遮断器５２Ｆ１〜５２Ｆｎは投入されるが、他の配電線用遮断器５２Ｆ１〜５２Ｆｎは投入されない状態が発生し得る。例えば、負荷電力が最も大きい第１の配電線Ｌ１の配電線用遮断器５２Ｆ１は投入されないが、第２の配電線用遮断器５２Ｆ２は投入される、という状態が発生する場合がある。
【００３７】
そして、ステップＳ３０において、すべての配電線用遮断器５２Ｆ１〜５２Ｆｎの再閉路リレーのロックを解除し、負荷切り分け処理等（重故障処理）を完了して（ステップＳ３１）、負荷切り分けの機能等が完了した旨をディスプレイに表示する（ステップＳ３２）ものである。
【００３８】
以上のように、この単独運転発電所の制御システム１によれば、いずれかの発電機Ｇ１〜Ｇｎが発電停止すると、まず、発電中の発電機Ｇ１〜Ｇｎの総容量に見合うように、配電線用遮断器５２Ｆ１〜５２Ｆｎが遮断されて負荷が切り分けられるため、需要と供給のバランスが適正に維持される。このため、発電中の残りの発電機Ｇ１〜Ｇｎが過負荷状態になることによる全停電を、防止・抑制することが可能となる。また、待機中の発電機Ｇ１〜Ｇｎによる発電が開始され、増加した発電中の発電機Ｇ１〜Ｇｎの総容量に見合うだけ、遮断した配電線用遮断器５２Ｆ１〜５２Ｆｎが投入されて電力供給が回復されるため、適正な電力供給を維持することが可能となる。しかも、負荷電力が大きい配電線Ｌ１〜Ｌｎの順に配電線用遮断器５２Ｆ１〜５２Ｆｎが遮断されるため、全停電をより防止・抑制して、より多くの需要家・負荷に電力供給を継続することが可能となる。
【００３９】
このような結果、全停電への波及を回避することができ、全停電からの復旧時間を短縮できるとともに、当直員の復旧操作を軽減することができ、さらには、誤判断による誤操作を防止・抑制することができる。同様に、発電機Ｇ１〜Ｇｎの自動起動や配電線Ｌ１〜Ｌｎへの自動送電を行えることで、現状把握時間および停電復旧時間を短縮できるとともに、当直員の復旧操作を軽減することができ、さらには、誤判断による誤操作を防止・抑制することができる。このようにして、電力供給の安定性、信頼性を向上させることができるものである。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、負荷切り分け処理において、負荷電力が大きい配電線Ｌ１〜Ｌｎの順に配電線用遮断器５２Ｆ１〜５２Ｆｎを順次に遮断しているが、発電中の発電機Ｇ１〜Ｇｎの各定格容量と、配電線Ｌ１〜Ｌｎの各負荷電力とに基づいて、遮断器遮断後の総負荷電力が、発電中の発電機Ｇ１〜Ｇｎの総定格容量に最も近くなるように（最大限に電力を供給できるように）、配電線用遮断器５２Ｆ１〜５２Ｆｎを選択して遮断してもよい。
【００４１】
また、次のような単独運転発電所の制御プログラムを、単独運転発電所の制御コンピュータなどにインストールすることで、本制御システム１と同等の効果を得るようにしてもよい。
【００４２】
すなわち、複数の発電機Ｇ１〜Ｇｎを備える単独運転系統において各種機器を制御する単独運転発電所の制御プログラムであって、コンピュータを、
計測された各配電線Ｌ１〜Ｌｎの負荷電力を記憶する記憶手段と、
各配電線Ｌ１〜Ｌｎに配設された配電線用遮断器５２Ｆ１〜５２Ｆｎを制御する配電線用遮断器制御手段（配電線用遮断器制御装置３）と、
各発電機Ｇ１〜Ｇｎを制御する発電機制御手段（発電機制御装置４）、として機能させ、
いずれかの発電機Ｇ１〜Ｇｎが故障によって発電停止した場合に、配電線用遮断器制御手段は、負荷電力の総和が、故障した発電機Ｇ１〜Ｇｎを除く発電中の発電機Ｇ１〜Ｇｎの容量の総和以下になるように、配電線用遮断器５２Ｆ１〜５２Ｆｎを遮断し、発電機制御手段は、待機中の発電機Ｇ１〜Ｇｎを起動して発電を開始させ、
その後、配電線用遮断器制御手段は、配電線用遮断器５２Ｆ１〜５２Ｆｎを遮断する直前に記憶手段に記憶された負荷電力に基づいて、遮断した配電線用遮断器５２Ｆ１〜５２Ｆｎを投入した際の負荷電力の総和が、発電中の発電機Ｇ１〜Ｇｎの容量の総和以下になる範囲で、遮断した配電線用遮断器５２Ｆ１〜５２Ｆｎを投入する、ものである。
【００４３】
ここで、記憶手段は、例えば、各負荷電力計測器２で計測された各配電線Ｌ１〜Ｌｎの負荷電力を、各負荷電力計測器２などから受信して記憶する。
【符号の説明】
【００４４】
１        単独運転発電所の制御システム
２        負荷電力計測器（負荷電力計測手段）
３        配電線用遮断器制御装置（配電線用遮断器制御手段）
４        発電機制御装置（発電機制御手段）
５        発電機用遮断器制御装置
Ｇ１〜Ｇｎ  発電機
Ｌ１〜Ｌｎ  配電線
５２Ｇ１〜５２Ｇｎ  発電機用遮断器
５２Ｆ１〜５２Ｆｎ  配電線用遮断器
【図１】
0006540082.tif 000002
【図２】
0006540082.tif 000003
【図３】
0006540082.tif 000004
【図４】
0006540082.tif 000005
【図５】
0006540082.tif 000006